(57)【要約】【課題】点検者の負担を軽減することの可能なキュービクルシステムを提供する。【解決手段】キュービクルシステム１０は、キュービクル２０の点検結果の電子報告書を作成可能な携帯端末５０と、キュービクルの状態量の計測情報を携帯端末５０に送信可能な計測機器３０とを備える。携帯端末５０は、タッチパネルと、制御部とを有する。タッチパネルは、計測機器３０から送信されるキュービクルの状態量の計測情報が入力された状態で電子報告書作成画面を表示する。制御部は、計測機器３０から送信されるキュービクルの状態量の計測情報に基づいて電子報告書を作成する。【選択図】図１
2019193497.tif 000002
【特許請求の範囲】
【請求項１】
キュービクルの点検結果の電子報告書を作成可能な携帯端末と、
前記キュービクルの状態量を計測するとともに、計測された前記キュービクルの状態量の計測情報を前記携帯端末に送信可能な計測機器と、を備え、
前記携帯端末は、
前記計測機器から送信される前記キュービクルの状態量の計測情報が入力された状態で、前記電子報告書を作成するための電子報告書作成画面を表示する表示部と、
前記計測機器から送信される前記キュービクルの状態量の計測情報に基づいて前記電子報告書を作成する電子報告書作成部と、を有する
キュービクルシステム。
【請求項２】
前記携帯端末は、
前記電子報告書作成画面に所定の情報を入力するための入力部と、
前記入力部により入力された所定の定型情報を記憶する記憶部と、を更に有し、
前記表示部は、
前記記憶部に記憶された前記定型情報が入力された状態で前記電子報告書作成画面を表示し、
前記電子報告書作成部は、
前記記憶部に記憶された前記定型情報に基づいて前記電子報告書を作成する
請求項１に記載のキュービクルシステム。
【請求項３】
前記携帯端末は、
前記キュービクルの固有情報を取得する固有情報取得部を更に備え、
前記記憶部には、
複数の前記キュービクルの固有情報のそれぞれに関連付けられて複数の前記定型情報が記憶され、
前記表示部は、
前記記憶部に記憶された複数の前記定型情報のうち、前記固有情報取得部により取得された前記キュービクルの固有情報に関連付けられている前記定型情報が入力された状態で前記電子報告書作成画面を表示し、
前記電子報告書作成部は、
前記記憶部に記憶された複数の前記定型情報のうち、前記固有情報取得部により取得された前記キュービクルの固有情報に関連付けられている前記定型情報に基づいて前記電子報告書を作成する
請求項２に記載のキュービクルシステム。
【請求項４】
前記携帯端末は、
静止画及び動画の少なくとも一方を撮影可能な撮影部を更に有し、
前記電子報告書作成部は、
前記撮影部により撮影された静止画及び動画の少なくとも一方の画像データを含む前記電子報告書を作成する
請求項１〜３のいずれか一項に記載のキュービクルシステム。
【請求項５】
前記携帯端末と通信可能であるとともに、前記携帯端末から送信される前記電子報告書を記憶するサーバ装置を更に備える
請求項１〜４のいずれか一項に記載のキュービクルシステム。
【発明の詳細な説明】
【技術分野】
【０００１】
本開示は、キュービクルシステムに関する。
【背景技術】
【０００２】
従来、特許文献１に記載のキュービクル式高圧受電設備がある。特許文献１に記載のキュービクルは、変圧器、電力用コンデンサ、高圧負荷開閉器、及び計測器等を有している。
【先行技術文献】
【特許文献】
【０００３】
【特許文献１】特開２００６−１４５００号公報
【発明の概要】
【発明が解決しようとする課題】
【０００４】
ところで、特許文献１に記載されるようなキュービクルでは、その適切な動作を維持するために、年次あるいは月次で定期点検が行われる。キュービクルの定期点検では、点検者がキュービクルの計測器を目視で確認しつつ変圧器の電圧及び電流の測定や漏洩電流の測定等を行うとともに、その計測結果をまとめた報告書を手書きで作成している。このような手書きによる報告書の作成が点検者の負担を増加させる要因となっている。
【０００５】
本開示は、こうした実情に鑑みてなされたものであり、その目的は、点検者の負担を軽減することの可能なキュービクルシステムを提供することにある。
【課題を解決するための手段】
【０００６】
上記課題を解決するキュービクルシステムは、携帯端末と、計測機器と、を備える。携帯端末は、キュービクルの点検結果の電子報告書を作成可能である。計測機器は、キュービクルの状態量を計測するとともに、計測されたキュービクルの状態量の計測情報を携帯端末に送信可能である。携帯端末は、表示部と、電子報告書作成部と、を有する。表示部は、計測機器から送信されるキュービクルの状態量の計測情報が入力された状態で、電子報告書を作成するための電子報告書作成画面を表示する。電子報告書作成部は、計測機器から送信されるキュービクルの状態量の計測情報に基づいて電子報告書を作成する。
【０００７】
この構成によれば、点検者が携帯端末で電子報告書を作成する際に、キュービクルの状態量の計測情報が予め入力された状態で携帯端末の表示部に電子報告書作成画面が表示されるため、点検者は電子報告書作成画面においてキュービクルの状態量を入力する必要がない。そのため、点検者の負担を軽減することが可能である。
【０００８】
上記のキュービクルシステムにおいて、携帯端末は、電子報告書作成画面に所定の情報を入力するための入力部と、入力部により入力された所定の定型情報を記憶する記憶部と、を更に有し、表示部は、記憶部に記憶された定型情報が入力された状態で電子報告書作成画面を表示し、電子報告書作成部は、記憶部に記憶された定型情報に基づいて電子報告書を作成することが好ましい。
【０００９】
この構成によれば、点検者が電子報告書作成画面において定型情報を入力する手間を省くことができるため、点検者の負担を更に軽減することができる。
【００１０】
上記のキュービクルシステムにおいて、携帯端末は、キュービクルの固有情報を取得する固有情報取得部を更に備え、記憶部には、複数のキュービクルの固有情報のそれぞれに関連付けられて複数の定型情報が記憶され、表示部は、記憶部に記憶された複数の定型情報のうち、固有情報取得部により取得されたキュービクルの固有情報に関連付けられている定型情報が入力された状態で電子報告書作成画面を表示し、電子報告書作成部は、記憶部に記憶された複数の定型情報のうち、固有情報取得部により取得されたキュービクルの固有情報に関連付けられている定型情報に基づいて電子報告書を作成することが好ましい。
【００１１】
この構成によれば、複数のキュービクルのそれぞれに対応した複数の定型情報を携帯端末で用いることができるため、利便性を向上させることができる。また、点検者は、点検対象となっているキュービクルの固有情報を固有情報取得部により取得すれば、そのキュービクルの固有情報に関連付けられている定型情報が表示部の表示及び電子報告書の作成に用いられる。これにより、点検対象でないキュービクルの定型情報が表示部の表示及び電子報告書の作成に用いられるような状況を、より的確に回避することが可能である。
【００１２】
上記のキュービクルシステムにおいて、携帯端末は、静止画及び動画の少なくとも一方を撮影可能な撮影部を更に有し、電子報告書作成部は、撮影部により撮影された静止画及び動画の少なくとも一方の画像データを含む電子報告書を作成することが好ましい。
【００１３】
この構成によれば、撮影部に撮影される静止画及び動画を電子報告書に添付することができるため、静止画の画像データを写真として印刷したり、動画の画像データを外部記憶媒体に記憶させたりする等の作業を点検者が行う必要がない。よって、点検者の負担を更に軽減することができる。
【００１４】
上記のキュービクルシステムにおいて、携帯端末と通信可能であるとともに、携帯端末から送信される電子報告書を記憶するサーバ装置を更に備えることが好ましい。
【００１５】
この構成によれば、サーバ装置において電子報告書をデータベース化することができるため、電子報告書の閲覧等が容易になる。
【発明の効果】
【００１６】
本開示によれば、点検者の負担を軽減することの可能なキュービクルシステムを提供できる。
【図面の簡単な説明】
【００１７】
【図１】図１は、第１実施形態のキュービクルシステムの概略構成を示すブロック図である。
【図２】図２は、第１実施形態の携帯端末の概略構成を示すブロック図である。
【図３】図３（Ａ）〜（Ｃ）は、第１実施形態の携帯端末のタッチパネルに表示される電子報告書作成画面を模式的に示す図である。
【図４】図４は、第１実施形態の携帯端末の制御部により実行される処理の手順を示すフローチャートである。
【図５】図５は、第２実施形態の携帯端末の制御部により実行される処理の手順を示すフローチャートである。
【発明を実施するための形態】
【００１８】
以下、キュービクルシステムの実施形態について図面を参照しながら説明する。説明の理解を容易にするため、各図面において同一の構成要素に対しては可能な限り同一の符号を付して、重複する説明は省略する。
＜第１実施形態＞
【００１９】
はじめに、キュービクルシステムの第１実施形態について説明する。図１に示されるように、本実施形態のキュービクルシステム１０は、キュービクル２０の内部に配置される計測機器３０と、キュービクル２０の外部に配置されるサーバ装置４０と、携帯端末５０とを備えている。
【００２０】
キュービクル２０は、キュービクル式高圧受電設備であって、電力会社等から供給される高圧の商用電力を、需要家の負荷設備の仕様に適合した電圧や周波数を有する電力に変換するための機器一式を金属製の外箱に収めた設備である。キュービクル２０は、変圧器２１、一次側計器用変圧器２２、一次側計器用変流器２３、二次側計器用変圧器２４、二次側計器用変流器２５、及び温度センサ２６等を備えている。なお、キュービクル２０は、これらの要素の他、電力用コンデンサや高圧負荷開閉器等を備えているが、それらの図示は省略している。
【００２１】
変圧器２１は、高圧母線からなる一次側電路Ｗ１から供給される高圧の交流電力を低圧の単相交流電力に変換する電灯変圧器や、高圧の交流電力を低圧の三相交流電力に変換する動力変圧器等からなる。変圧器２１は、変換した交流電力を二次側電路Ｗ２に出力する。
【００２２】
一次側計器用変圧器２２及び一次側計器用変流器２３は、一次側電路Ｗ１に設けられている。一次側計器用変圧器２２は、一次側電路Ｗ１の交流電圧、すなわち変圧器２１の一次側の高電圧を計測機器３０用の低電圧に変換して計測機器３０に出力する。一次側計器用変流器２３は、一次側電路Ｗ１を流れる大電流を計測機器３０用の小電流に変換して計測機器３０に出力する。
【００２３】
二次側計器用変圧器２４及び二次側計器用変流器２５は、二次側電路Ｗ２に設けられている。二次側計器用変圧器２４は、二次側電路Ｗ２の交流電圧、すなわち変圧器２１の二次側の高電圧を計測機器３０用の低電圧に変換して計測機器３０に出力する。二次側計器用変流器２５は、二次側電路Ｗ２を流れる大電流を計測機器３０用の小電流に変換して計測機器３０に出力する。
【００２４】
温度センサ２６は、変圧器２１の周辺に設けられている。温度センサ２６は、変圧器２１周辺の環境温度Ｔを検出するとともに、検出された環境温度Ｔに応じた信号を計測機器３０に出力する。
【００２５】
計測機器３０は、一次側計器用変圧器２２、一次側計器用変流器２３、二次側計器用変圧器２４、二次側計器用変流器２５、及び温度センサ２６のそれぞれの出力信号に基づいて変圧器２１の一次側の電流Ｉ１及び電圧Ｖ１、二次側の電流Ｉ２及び電圧Ｖ２、並びに環境温度Ｔの情報を取得するとともに、取得したそれらの情報を携帯端末５０に送信することが可能である。計測機器３０は、計測部３１と、制御部３２と、無線通信部３３とを備えている。
【００２６】
計測部３１には、一次側計器用変圧器２２、一次側計器用変流器２３、二次側計器用変圧器２４、二次側計器用変流器２５、及び温度センサ２６のそれぞれの出力信号が取り込まれている。計測部３１は、それらの出力信号に基づいて変圧器２１の一次側の電流Ｉ１及び電圧Ｖ１、二次側の電流Ｉ２及び電圧Ｖ２、並びに環境温度Ｔの情報を計測するとともに、計測されたそれらの情報を制御部３２に送信する。
【００２７】
無線通信部３３は、ＢＬＵＥＴＯＯＴＨ（登録商標）やＷｉ−ｆｉ等を用いて携帯端末５０との無線通信を可能とする部分である。制御部３２は、無線通信部３３を介して携帯端末５０にデータを送信したり、携帯端末５０から送信されるデータを受信したりすることができる。
【００２８】
制御部３２は、ＣＰＵやＲＯＭ、ＲＡＭ等を有するマイクロコンピュータを中心に構成されている。制御部３２は、ＲＯＭに予め記憶されているプログラムを実行することにより計測機器３０を駆動させるための各種処理を実行する。例えば制御部３２は、計測部３１から変圧器２１の一次側の電流Ｉ１及び電圧Ｖ１、二次側の電流Ｉ２及び電圧Ｖ２、並びに環境温度Ｔの情報を所定の周期で取得する。制御部３２は、取得したこれらの情報を携帯端末５０に無線通信部３３を通じて送信することが可能である。
【００２９】
また、制御部３２は、計測部３１から取得可能な情報に基づいて、変圧器２１に関する各種状態量を演算する。例えば制御部３２は、変圧器２１の一次側の電流Ｉ１及び電圧Ｖ１に基づいて一次側の電力Ｗａ１を演算するとともに、変圧器２１の二次側の電流Ｉ２及び電圧Ｖ２に基づいて二次側の電力Ｗａ２を演算する。また、制御部３２は、変圧器２１の一次側の電流Ｉ１及び電圧Ｖ１のそれぞれの時系列的なデータに基づいて一次側の電力量Ｗｈ１及び力率Ｐｆ１を演算するとともに、変圧器２１の二次側の電流Ｉ２及び電圧Ｖ２のそれぞれの時系列的なデータに基づいて二次側の電力量Ｗｈ２及び力率Ｐｆ２を演算する。制御部３２は、これらの演算値を携帯端末５０に無線通信部３３を介して送信することも可能である。
【００３０】
携帯端末５０は、キュービクル２０を点検する点検者により所持される。携帯端末５０は、キュービクル２０の点検結果をまとめた電子報告書を作成するために用いられる。携帯端末５０としては、スマートフォンやタブレット型端末等を用いることができる。図２に示されるように、携帯端末５０は、無線通信部５１と、ネットワーク通信部５２と、制御部５３と、記憶部５４と、撮影部５５と、タッチパネル５６とを備えている。
【００３１】
撮影部５５は、点検者の操作に応じて静止画又は動画を撮影する。撮影部５５は、撮影した静止画又は動画の画像データを制御部５３に送信する。静止画又は動画の画像データは、制御部５３により記憶部５４に記憶されて保存される。
【００３２】
タッチパネル５６は、携帯端末５０の各種情報を表示する表示部として機能するとともに、タッチ操作により各種情報を入力可能な入力部として機能する。
【００３３】
無線通信部５１は、ＢＬＵＥＴＯＯＴＨ等を用いて計測機器３０との無線通信を可能とする部分である。制御部５３は、無線通信部５１を通じて計測機器３０にデータを送信したり、計測機器３０から送信されるデータを受信したりすることができる。
【００３４】
ネットワーク通信部５２は、ＬＴＥ等の長距離無線通信やＷｉ−ｆｉ等の近距離無線通信を用いることによりサーバ装置４０とのネットワーク回線を介した通信を可能とする部分である。制御部５３は、ネットワーク通信部５２を通じてサーバ装置４０にデータを送信したり、サーバ装置４０から送信されるデータを受信したりすることができる。
【００３５】
制御部５３は、ＣＰＵやＲＯＭ、ＲＡＭ等を有するマイクロコンピュータを中心に構成されている。制御部５３は、ＲＯＭに予め記憶されているプログラムを実行することにより、携帯端末５０を駆動させるための各種処理を実行する。例えば、制御部５３は、点検者のタッチパネル５６に対する操作に基づいて、ＲＯＭに記憶されている電子報告書作成用アプリケーションのプログラムを実行する。これにより、制御部５３は、電子報告書作成画面Ｓｒをタッチパネル５６に表示する。電子報告書作成画面Ｓｒは、キュービクル２０の点検結果をまとめた電子報告書を作成するための画面である。電子報告書作成画面Ｓｒには、図３（Ａ）に示されるような定型情報入力欄Ｓｒ１や、図３（Ｂ）に示されるような測定情報入力欄Ｓｒ２、図３（Ｃ）に示されるような備考欄Ｓｒ３及び添付アイコンＳｒ４等が含まれている。
【００３６】
図３（Ａ）に示されるように、定型情報入力欄Ｓｒ１は、定期点検の際に予め定められている定型情報が入力される部分である。定型情報入力欄Ｓｒ１には、例えば点検者の事業者名やキュービクル２０の名称、キュービクル２０の設備容量等の入力項目が設けられている。なお、定型情報入力欄Ｓｒ１に入力される情報は、タッチパネル５６の操作により予め登録することが可能となっている。この登録操作により定型情報入力欄Ｓｒ１に入力された情報は、記憶部５４に記憶される。この登録操作を点検者が一旦行った場合、それ以降は記憶部５４に記憶されている定型情報に基づいて定型情報入力欄Ｓｒ１の各項目に自動的に情報が入力される。
【００３７】
図３（Ｂ）に示されるように、測定情報入力欄Ｓｒ２は、定期点検の際にキュービクル２０の各種状態量の測定値が入力される部分である。測定情報入力欄Ｓｒ２には、例えば変圧器２１の一次側の電流Ｉ１、電圧Ｖ１、電力Ｗａ１、電力量Ｗｈ１、及び力率Ｐｆ１の入力項目、二次側の電流Ｉ２、電圧Ｖ２、電力Ｗａ２、電力量Ｗｈ２、及び力率Ｐｆ２の入力項目、並びに環境温度Ｔの入力項目等が設けられている。なお、測定情報入力欄Ｓｒ２には、計測機器３０の計測値及び演算値が自動的に入力される。
【００３８】
図３（Ｃ）に示されるように、備考欄Ｓｒ３は、定期点検の際に点検者により任意の情報が入力される部分である。備考欄Ｓｒ３には、例えば外観検査等でキュービクル２０に何らかの異常を点検者が発見した際にその具体的な異常の内容が記入される。また、添付アイコンＳｒ４は、携帯端末５０に保存されている任意のデータを電子報告書に添付する際に操作する部分である。
【００３９】
制御部５３は、電子報告書作成画面Ｓｒの各項目に入力される情報に基づいて電子報告書を作成する。すなわち、本実施形態では、制御部５３が電子報告書作成部に相当する。
【００４０】
次に、図４を参照して、制御部５３により実行される電子報告書の作成処理の具体的な手順について説明する。なお、制御部５３は、電子報告書作成用アプリケーションを起動させる操作を点検者がタッチパネル５６に対して行った際に図４に示される処理を開始する。
【００４１】
図４に示されるように、制御部５３は、まず、ステップＳ１０の処理として、キュービクル２０の各種状態量の情報を計測機器３０から取得する。具体的には、制御部５３は、無線通信部５１を通じて、計測機器３０により計測される変圧器２１の一次側の電流Ｉ１及び電圧Ｖ１、二次側の電流Ｉ２及び電圧Ｖ２、並びに環境温度Ｔの情報を計測機器３０から取得する。また、制御部５３は、無線通信部５１を通じて計測機器３０において演算される一次側の電力Ｗａ１、電力量Ｗｈ１、及び力率Ｐｆ１のそれぞれの演算値の情報、並びに二次側の電力Ｗａ２、電力量Ｗｈ２、及び力率Ｐｆ２のそれぞれの演算値の情報を計測機器３０から取得する。
【００４２】
制御部５３は、ステップＳ１０に続くステップＳ１１の処理として、定型情報が登録済みであるか否かを判断する。制御部５３は、登録操作を通じて記憶部５４に定型情報が記憶されている場合には、ステップＳ１１の処理で肯定判断して、すなわち定型情報が登録済みであると判断して、ステップＳ１２の処理として、記憶部５４に記憶されている定型情報を読み込む。
【００４３】
制御部５３は、ステップＳ１１で否定判断した場合、あるいはステップＳ１２の処理を実行した場合には、ステップＳ１３の処理として、電子報告書作成画面Ｓｒをタッチパネル５６に表示する。その際、制御部５３は、ステップＳ１０の処理で計測機器３０から送信されたキュービクル２０の状態量の計測情報を測定情報入力欄Ｓｒ２に表示する。すなわち、制御部５３は、キュービクル２０の状態量の計測情報が予め入力された状態で電子報告書作成画面Ｓｒをタッチパネル５６に表示する。
【００４４】
また、制御部５３は、ステップＳ１２の処理を実行した場合、すなわち記憶部５４から定型情報を読み込むことが可能であった場合には、その定型情報を定型情報入力欄Ｓｒ１に表示する。すなわち、制御部５３は、定型情報が予め入力された状態で電子報告書作成画面Ｓｒをタッチパネル５６に表示する。
【００４５】
電子報告書作成画面Ｓｒがタッチパネル５６に表示された後、点検者がキュービクル２０を点検しつつ電子報告書作成画面Ｓｒの各項目に必要な情報を入力する。その際、測定情報入力欄Ｓｒ２の各項目には予め情報が入力されているため、点検者は測定情報入力欄Ｓｒ２の各項目に情報を入力する必要がない。また、定型情報入力欄Ｓｒ１の各項目に予め情報が入力されている場合にも、点検者は定型情報入力欄Ｓｒ１の各項目に情報を入力する必要がない。
【００４６】
なお、定型情報入力欄Ｓｒ１の各項目に定型情報が予め入力されていない場合には、点検者は定型情報入力欄Ｓｒ１の各項目に情報を入力する必要がある。
【００４７】
また、点検者は、キュービクル２０の外観検査等を行うとともに、その際に異常が発見された場合には、その具体的な内容等を備考欄Ｓｒ３に入力する。なお、備考欄Ｓｒ３への記入は任意である。
【００４８】
さらに、点検者は、外観検査等でキュービクル２０の異常を発見した場合、その異常箇所を携帯端末５０の撮影部５５により撮影することができる。異常箇所が撮影部５５により撮影されると、その静止画の画像データが携帯端末５０の記憶部５４に記憶される。この場合、点検者は、電子報告書作成画面Ｓｒにおいて添付アイコンＳｒ４を操作した後、記憶部５４に記憶されている異常箇所の静止画の画像データを選択すれば、その画像データを電子報告書に添付することができる。なお、電子報告書への画像データの添付は任意である。
【００４９】
点検者が、以上のようにして電子報告書作成画面Ｓｒの各項目に対する情報の入力を完了した後、電子報告書作成画面Ｓｒに表示されている完了アイコンを操作すると、電子報告書が作成される。
【００５０】
具体的には、制御部５３は、ステップＳ１３に続くステップＳ１４の処理として、電子報告書作成画面Ｓｒの各項目への情報の入力が完了したか否かを判断する。制御部５３は、電子報告書作成画面Ｓｒの完了アイコンが点検者により操作されることに基づいて、入力が完了したと判断する。この場合、制御部５３は、ステップＳ１４の処理において肯定判断し、続くステップＳ１５の処理として、電子報告書を作成する。詳しくは、制御部５３は、電子報告書作成画面Ｓｒの各項目に入力されている情報に基づいて、ＰＤＦファイル等からなる電子報告書を作成する。また、制御部５３は、添付アイコンＳｒ４の操作により選択された画像データが存在する場合には、その画像データが取り込まれた電子報告書を作成する。制御部５３は、ステップＳ１５に続くステップＳ１６の処理として、作成した電子報告書を記憶部５４に記憶させるとともに、ステップＳ１７の処理として、電子報告書をサーバ装置４０に送信する。
【００５１】
なお、キュービクル２０の設置場所におけるネットワーク環境によっては、その場所からサーバ装置４０に電子報告書を送信できない可能性がある。この場合には、例えば点検者が事務所等に戻った後、制御部５３が事務所のＷｉ−Ｆｉ等を利用してサーバ装置４０に電子報告書を送信してもよい。
【００５２】
図１に示されるサーバ装置４０は、携帯端末５０にクラウドシステムを利用可能とする装置である。サーバ装置４０は、記憶部４１を有している。サーバ装置４０は、定期点検毎に携帯端末５０から送信される電子報告書を記憶部４１に記憶することにより、電子報告書をデータベース化している。サーバ装置４０においてデータベース化されている電子報告書は、携帯端末５０だけでなく、サーバ装置４０にアクセス可能なデスクトップパソコン等の任意の機器で閲覧可能となっている。これにより、仮に点検者が変わった場合でも、新たな点検者は、サーバ装置４０に記憶されている電子報告書を携帯端末５０やデスクトップパソコン等で閲覧することができる。よって、新たな点検者は定期点検の情報を容易に引き継ぐことが可能である。
【００５３】
以上説明した本実施形態のキュービクルシステム１０によれば、以下の（１）〜（４）に示される作用及び効果を得ることができる。
【００５４】
（１）点検者が携帯端末５０で電子報告書を作成する際に、計測機器３０により計測されたキュービクル２０の状態量の計測情報が予め入力された状態で携帯端末５０のタッチパネル５６に電子報告書作成画面Ｓｒが表示されるため、点検者は電子報告書作成画面Ｓｒにおいてキュービクル２０の状態量を入力する必要がない。そのため、点検者の負担を軽減することができる。
【００５５】
（２）タッチパネル５６は、記憶部５４に記憶された所定の定型情報が入力された状態で電子報告書作成画面Ｓｒを表示する。これにより、点検者が電子報告書作成画面Ｓｒにおいて所定の定型情報を入力する手間を省くことができるため、点検者の負担を更に軽減することができる。
【００５６】
（３）従来、点検時にキュービクル２０の異常を発見した場合、その異常箇所を点検者がカメラ等により撮影するとともに、撮影された写真を印刷して手書きの報告書に添付していた。これに対し、本実施形態のキュービクルシステム１０では、制御部５３が、撮影部５５により撮影された静止画の画像データを含む電子報告書を自動的に作成するため、写真を印刷する等の作業を点検者が行う必要がない。よって、点検者の負担を更に軽減することができる。
【００５７】
（４）キュービクルシステム１０は、携帯端末５０から送信される電子報告書を記憶するサーバ装置４０を備えている。これにより、サーバ装置４０において電子報告書をデータベース化することができるため、電子報告書の閲覧等が容易になる。
＜第２実施形態＞
【００５８】
次に、キュービクルシステム１０の第２実施形態について説明する。以下、第１実施形態のキュービクルシステム１０との相違点を中心に説明する。
【００５９】
本実施形態のキュービクルシステム１０では、携帯端末５０の登録操作により、複数のキュービクルのそれぞれの定型情報を携帯端末５０に登録することが可能となっている。携帯端末５０の記憶部５４には、登録操作により、複数のキュービクルのそれぞれの固有情報と、それらの固有情報にそれぞれ対応した複数の定型情報とが記憶されている。なお、キュービクル２０の固有情報とは、他のキュービクルと識別するためにキュービクル２０に対して予め個別に割り当てられている識別番号等である。
【００６０】
本実施形態の携帯端末５０の制御部５３は、電子報告書の作成処理として、図５に示される処理を実行する。すなわち、制御部５３は、ステップＳ２０の処理として、キュービクル２０の固有情報を取得する。
【００６１】
具体的には、図１に破線で示されるように、本実施形態の計測機器３０は、表示部３４を更に備えている。表示部３４は、キュービクル２０の固有情報を含むＱＲコード（登録商標）を表示する。図２に示される携帯端末５０では、キュービクル２０の表示部３４に表示されるＱＲコードを撮影部５５により撮影すると、そのＱＲコードに含まれるキュービクル２０の固有情報が撮影部５５により取得される。本実施形態では、撮影部５５が固有情報取得部に相当する。撮影部５５により取得されたキュービクル２０の固有情報が制御部５３に送信されることにより、制御部５３がキュービクル２０の固有情報を取得する。
【００６２】
図５に示されるように、携帯端末５０の制御部５３は、ステップＳ２０に続いてステップＳ１０の処理を実行した後、ステップＳ１１の処理として、キュービクル２０の固有情報に対応した定型情報が記憶部５４に記憶されているか否かを判断する。制御部５３は、ステップＳ１１の処理で肯定判断した場合には、すなわち定型情報が登録済みである場合には、ステップＳ１２の処理として、キュービクル２０の固有情報に対応した定型情報を記憶部５４から読み込む。
【００６３】
以上説明した本実施形態のキュービクルシステム１０によれば、以下の（５）に示される作用及び効果を更に得ることができる。
【００６４】
（５）携帯端末５０のタッチパネル５６は、記憶部５４に記憶された複数の定型情報のうち、キュービクル２０の固有情報に関連付けられている定型情報が入力された状態で電子報告書作成画面Ｓｒを表示する。また、制御部５３は、記憶部５４に記憶された複数の定型情報のうち、キュービクル２０の固有情報に関連付けられている定型情報に基づいて電子報告書を作成する。このような構成によれば、複数のキュービクル２０のそれぞれに対応した複数の定型情報を携帯端末５０で用いることができるため、利便性を向上させることができる。また、点検者は、点検対象となっているキュービクル２０の固有情報を撮影部５５により取得すれば、そのキュービクル２０の固有情報に関連付けられている定型情報がタッチパネル５６の表示及び電子報告書の作成に用いられる。よって、点検対象でないキュービクル２０の定型情報がタッチパネル５６の表示及び電子報告書の作成に用いられるような状況を、より的確に回避することが可能である。
＜他の実施形態＞
なお、上記各実施形態は、以下の形態にて実施することもできる。
【００６５】
・第２実施形態のキュービクルシステム１０では、キュービクル２０の固有情報として任意の情報を用いることが可能である。例えば携帯端末５０の無線通信部５１と計測機器３０の無線通信部３３との間で通信が確立した際に、携帯端末５０の無線通信部５１は、計測機器３０のＭＡＣアドレスを取得することができる。この計測機器３０のＭＡＣアドレスをキュービクル２０の固有情報として用いてもよい。あるいは、携帯端末５０の無線通信部５１と計測機器３０の無線通信部３３との間の無線通信がＷｉ−Ｆｉで行われている場合には、携帯端末５０の無線通信部５１は、計測機器３０の無線通信部３３のＳＳＩＤを取得することができる。この計測機器３０の無線通信部３３のＳＳＩＤをキュービクル２０の固有情報として用いてもよい。これらの変形例では、携帯端末５０の無線通信部５１が固有情報取得部に相当する。
【００６６】
・第２実施形態のキュービクルシステム１０では、キュービクル２０の定型情報の全てをＱＲコードに含めてもよい。これにより、携帯端末５０の記憶部５４にキュービクル２０の定型情報を記憶させる必要がなくなるため、点検者による登録作業が不要となる。
【００６７】
・第２実施形態のキュービクルシステム１０では、ＱＲコードに代えて、ＲＦＩＤ等の任意の情報媒体を用いることができる。
【００６８】
・携帯端末５０は、タッチパネル５６を備える構成に限らず、例えば表示部と入力部とを個別に備える構成であってもよい。
【００６９】
・電子報告書作成画面Ｓｒでは、変圧器２１の情報に限らず、キュービクル２０に設置される電力用コンデンサや高圧負荷開閉器等、変圧器２１とは別の機器の情報が入力可能であってもよい。また、電子報告書には、変圧器２１とは別の機器の情報が記載されていてもよい。
【００７０】
・電子報告書には、静止画の画像データに限らず、動画の画像データ等の任意のデータを添付可能であってもよい。その際、添付する任意のデータは、電子報告書とは別にサーバ装置４０に記憶されていてもよい。このような構成であれば、点検者が動画の画像データを外部記憶媒体に記憶させる作業が不要となるため、点検者の負担を軽減することが可能である。
【００７１】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００７２】
１０：キュービクルシステム
２０：キュービクル
３０：計測機器
４０：サーバ装置
５０：携帯端末
５３：制御部（電子報告書作成部）
５４：記憶部
５５：撮影部（固有情報取得部）
５６：タッチパネル（表示部、入力部）
【図１】
2019193497.tif 000003
【図２】
2019193497.tif 000004
【図３】
2019193497.tif 000005
【図４】
2019193497.tif 000006
【図５】
2019193497.tif 000007